(57)【要約】    【課題】  複数種のデジタルインターフェースを有する撮像装置を、該デジタルインターフェースを介して外部から制御し得る制御装置、制御方法、制御システム、及び制御プログラムを提供する。    【解決手段】  ローカルＰＣ１０３は、デジタルビデオカメラ１０１に対する通信モード切替コマンドが、ローカルＰＣ１０３から入力されるか、或いはリモートＰＣ１０５から受信されると、ローカルＰＣ１０３とデジタルビデオカメラ１０１との間のデジタルインターフェースの種類（ＩＥＥＥ、ＵＳＢ）を判別し、入力又は受信に係る通信モード切替コマンドを、判別に係る種類のデジタルインターフェースに準拠したコマンドに変換して、デジタルビデオカメラ１０１に送信する。【選択図】      図３
2005176249.tif 000002
【特許請求の範囲】
【請求項１】
複数種のデジタルインターフェースを有する撮像装置を外部から制御する制御装置であって、
前記制御装置と前記撮像装置との間のデジタルインターフェースの種類を判別する判別手段と、
前記制御装置から入力された前記撮像装置に対するコマンド、又は前記制御装置がネットワークを介して他の制御装置から受信した前記撮像装置に対するコマンドを、前記判別手段により判別された種類のデジタルインターフェースに準拠したコマンドに変換する変換手段と、
前記変換手段により変換されたコマンドを前記撮像装置に送信する送信手段と、
を有することを特徴とする制御装置。
【請求項２】
前記複数種のデジタルインターフェースは、ＩＥＥＥ、ＵＳＢ等に係るデジタルインターフェースであることを特徴とする請求項１に記載の制御装置。
【請求項３】
前記撮像装置は、デジタルビデオカメラであることを特徴とする請求項１又は２に記載の制御装置。
【請求項４】
前記コマンドは、前記デジタルビデオカメラで撮影中の映像データを
前記制御装置、又は他の制御装置に送信するモードと、前記デジタルビデオカメラで撮影済みの映像データを記録媒体から読み出して前記制御装置、又は他の制御装置に送信するモードとを切り替えるためのコマンドであることを特徴とする請求項３に記載の制御装置。
【請求項５】
前記デジタルビデオカメラは、前記モードを切り替えるための専用のモードを設定する設定手段を有することを特徴とする請求項３又は４に記載の制御装置。
【請求項６】
前記制御装置と前記他の制御装置は、それぞれ前記デジタルインターフェースを介して前記デジタルビデオカメラと接続され、ＴＶ電話機能に係る制御を行うことを特徴とする請求項３〜５の何れかに記載の制御装置。
【請求項７】
複数種のデジタルインターフェースを有する撮像装置を外部の制御装置により制御する場合の制御方法であって、前記制御装置は、
前記制御装置と前記撮像装置との間のデジタルインターフェースの種類を判別する判別工程と、
前記制御装置から入力された前記撮像装置に対するコマンド、又は前記制御装置がネットワークを介して他の制御装置から受信した前記撮像装置に対するコマンドを、前記判別工程により判別された種類のデジタルインターフェースに準拠したコマンドに変換する変換工程と、
前記変換工程により変換されたコマンドを前記撮像装置に送信する送信工程と、
を有することを特徴とする制御方法。
【請求項８】
複数種のデジタルインターフェースを有する撮像装置を外部の制御装置により制御する制御システムであって、前記制御装置は、
前記制御装置と前記撮像装置との間のデジタルインターフェースの種類を判別する判別手段と、
前記制御装置から入力された前記撮像装置に対するコマンド、又は前記制御装置がネットワークを介して他の制御装置から受信した前記撮像装置に対するコマンドを、前記判別手段により判別された種類のデジタルインターフェースに準拠したコマンドに変換する変換手段と、
前記変換手段により変換されたコマンドを前記撮像装置に送信する送信手段と、
を有することを特徴とする制御システム。
【請求項９】
複数種のデジタルインターフェースを有する撮像装置を外部の制御装置により制御するための制御プログラムであって、
前記制御装置と前記撮像装置との間のデジタルインターフェースの種類を判別し、前記制御装置から入力された前記撮像装置に対するコマンド、又は前記制御装置がネットワークを介して他の制御装置から受信した前記撮像装置に対するコマンドを、判別に係る種類のデジタルインターフェースに準拠したコマンドに変換し、変換に係るコマンドを前記撮像装置に送信する内容を有することを特徴とする制御プログラム。
【発明の詳細な説明】
【技術分野】
【０００１】
本発明は、デジタルビデオカメラ等の撮像装置をデジタルインターフェースを介して外部から制御する技術に関する。
【背景技術】
【０００２】
デジタルビデオカメラ（以下、ＤＶＣＲという）とパーソナルコンピュータ（以下、ＰＣという）との間の通信は、デジタルインターフェースがＩＥＥＥ１３９４（非特許文献１，２参照）に準拠したデジタルインターフェースである場合は、ＡＶ／Ｃ  Ｄｉｇｉｔａｌ  Ｉｎｔｅｒｆａｃｅ  Ｃｏｍｍａｎｄ  Ｓｅｔ  Ｇｅｎｅｒａｌ  Ｓｐｅｃｉｆｉｃａｔｉｏｎ  Ｖｅｒｓｉｏｎ  ４．１（Ｎｏｖｅｍｂｅｒ  １９，  ２００１）等で規定されているコマンドセットに基づいて行い、デジタルインターフェースがＵＳＢ（非特許文献３参照）に準拠したデジタルインターフェースである場合は、Ｕｎｉｖｅｒｓａｌ  Ｓｅｒｉａｌ  Ｂｕｓ  Ｄｅｖｉｃｅ  Ｃｌａｓｓ  Ｄｅｆｉｎｉｔｉｏｎ  Ｆｏｒ  Ｖｉｄｅｏ  Ｄｅｖｉｃｅｓで規定されているコマンドセットに基づいて行っていた。
【０００３】
また、ＤＶＣＲは、映像（動画、静止画）の送信モードとして、２つのモードを有している。１つはＤＶＣＲにより撮影中の映像データをネットワーク経由で遠隔地のＰＣにリアルタイムで送信するカメラモードであり、もう１つは磁気テープやメモリカードに記録されている撮影済みの映像データをネットワーク経由で遠隔地のＰＣに送信するＶＴＲモードである。
【０００４】
また、これらカメラモードとＶＴＲモードとの切り替えは、ＤＶＣＲのメカニカルスイッチにより行われ、ＰＣ側からの制御により上記モード切替えを行うことはできなかった。
【非特許文献１】IEEE Std 1394-1995, IEEE Standard for a High Performance Serial Bus, Institute of Electrical and Electronics Engineers, Inc.
【非特許文献２】IEEE Std 1394a-2000, IEEE Standard for a High Performance Serial Bus - Amendment 1
【非特許文献３】Universal Serial Bus Specification Revision 2.0, April 27, 2000
【発明の開示】
【発明が解決しようとする課題】
【０００５】
このように、従来は、ＤＶＣＲの送信モードの切り替えをＰＣ側で制御することができず、ＤＶＣＲ側で行う必要があったため、例えば、ＰＣの前に座っている自己の姿をＤＶＣＲで撮影し、その映像データをカメラモードで送信しながらＴＶ電話を行っている場合に、ＴＶ電話の途中で、過去に撮影して磁気テープに記録されている子供の映像データを送信すべくＶＴＲモードに切り替えるような場合は、そのモード切り替えを行うためにＤＶＣＲの場所まで移動する必要があり、不便であった。
【０００６】
また、ＤＶＣＲに複数種のデジタルインターフェースを設けることにより、利便性を向上させることが要望されていた。
【０００７】
そこで、本発明は、複数種のデジタルインターフェースを有する撮像装置を、該デジタルインターフェースを介して外部から制御し得る制御装置、制御方法、制御システム、及び制御プログラムを提供することを目的とする。
【課題を解決するための手段】
【０００８】
上記目的を達成するため、本発明は、複数種のデジタルインターフェースを有する撮像装置を外部から制御する制御装置であって、前記制御装置と前記撮像装置との間のデジタルインターフェースの種類を判別する判別手段と、前記制御装置から入力された前記撮像装置に対するコマンド、又は前記制御装置がネットワークを介して他の制御装置から受信した前記撮像装置に対するコマンドを、前記判別手段により判別された種類のデジタルインターフェースに準拠したコマンドに変換する変換手段と、前記変換手段により変換されたコマンドを前記撮像装置に送信する送信手段とを有している。
【発明の効果】
【０００９】
本発明によれば、複数種のデジタルインターフェースを有する撮像装置を、該デジタルインターフェースを介して外部から制御し得る制御装置、制御方法、制御システム、及び制御プログラムを提供することが可能となり、利便性が向上する。
【発明を実施するための最良の形態】
【００１０】
以下、本発明を実施するための最良の形態を図面を参照しながら説明する。
【００１１】
図１は、本発明を適用した通信システムのシステム構成図である。
【００１２】
図１において、ＤＶＣＲ１０１は、複数種のデジタルインターフェースを有する撮像装置である。本実施形態では、ＤＶＣＲ１０１がＩＥＥＥ１３９４インターフェース及びＵＳＢインターフェースを有する場合を説明する。ＩＥＥＥ１３９４インターフェースは、ＩＥＥＥ１３９４（非特許文献１，２参照）に準拠したデジタルインターフェースであり、ＵＳＢインターフェースは、ＵＳＢ（非特許文献３参照）に準拠したデジタルインターフェースである。ＤＶＣＲ１０１は、ＩＥＥＥ１３９４又はＵＳＢに準拠したシリアルバス１０２を介してローカルＰＣ１０３に接続することが可能となっている。また、このローカルＰＣ１０３は、インターネット等のネットワーク１０４を介して他のリモートＰＣ１０５と接続されている。
【００１３】
ＤＶＣＲ１０１とローカルＰＣ１０３は、ＩＥＥＥ１３９４、又はＵＳＢで規定されたコマンドにより映像データ等を送受信することができる。この場合、ローカルＰＣ１０３上で実行されているアプリケーションからＤＶＣＲ１０１にコマンドを送ることにより、ローカルＰＣ１０３によりＤＶＣＲ１０１を制御することができる。また、ローカルＰＣ１０３は、ネットワーク１０４を介してリモートＰＣ１０５から受信したコマンドをＤＶＣＲ１０１に転送することも可能である。
【００１４】
図２は、ＤＶＣＲ１０１の概略構成を示すブロック図である。図２において、２０１はＣＣＤセンサ等の撮像素子からの映像入力を制御する撮像部、２０２はＤＶＣＲ１０１の動作を全体的に制御する制御部、２０３は映像、及びＤＶＣＲ１０１に係るモード等の各種の情報を表示する表示部、２０４はＩＥＥＥ１３９４インターフェース及びＵＳＢインターフェースを有する通信部、２０５は撮像部２０１から入力された映像を磁気テープ、メモリカード等の記録媒体に記録する記録部を示している。
【００１５】
ＤＶＣＲ１０１の通信（送信、再生）モードとしては、撮像部２０１から入力された映像データを制御部２０２に渡すことにより、制御部２０２から表示部２０３、通信部２０４、および記録部２０５へと映像データがリアルタイムに送出される「カメラモード」と、記録部２０５に既に記録してある映像データを読み出して制御部２０２に渡すことにより、制御部２０２から表示部２０３、通信部２０４へと映像データが送出される「ＶＴＲモード」が存在する。これら「カメラモード」、「ＶＴＲモード」に加えて、通信部２０４を介して受信した制御装置（ローカルＰＣ１０３、リモートＰＣ１０５）からのコマンドに基づいて「カメラモード」と「ＶＴＲモード」を自由に切り替えるための「モードレスモード」が存在している。なお、これら３つの通信モードの切り替え設定は、図示省略したハードスイッチにより行われる。
【００１６】
次に、制御装置からのコマンドに基づく通信モード切替処理を、図３のフローチャートに基づいて説明する。なお、この通信モード切替処理は、ＤＶＣＲ１０１がモードレスモードに設定されている場合に実行されるものである。また、ステップＳ３０１〜Ｓ３０６の処理は、ローカルＰＣ１０３上で稼動するアプリケーションにより実行されるものである。
【００１７】
ローカルＰＣ１０３は、ローカルＰＣ１０３上で実行されているアプリケーションからＤＶＣＲ１０１に対するモード切替コマンドが入力された場合、又は、リモートＰＣ１０５からＤＶＣＲ１０１に対するモード切替コマンドを受信した場合（ステップＳ３０１）、ＤＶＣＲ１０１の現在の通信モードを確認し、入力又は受信に係るモード切替コマンドで切り替え指示された通信モードと現在の通信モードが一致するか否かを判別する（ステップＳ３０２）。その結果、通信モードが一致する場合は、ローカルＰＣ１０３は、本通信モード切替処理を終了する。
【００１８】
一方、入力又は受信に係るモード切替コマンドで切り替え指示された通信モードと現在の通信モードが一致しない場合は、ローカルＰＣ１０３は、ローカルＰＣ１０３とＤＶＣＲ１０１との通信に使用されるデジタルインターフェースがＩＥＥＥ１３９４インターフェースであるか否かを判別する（ステップＳ３０３）。その結果、使用されるデジタルインターフェースがＩＥＥＥ１３９４インターフェースであれば、ローカルＰＣ１０３は、入力又は受信に係るモード切替コマンドを、ＡＶ／Ｃ  Ｄｉｇｉｔａｌ  Ｉｎｔｅｒｆａｃｅ  Ｃｏｍｍａｎｄ  Ｓｅｔ  Ｇｅｎｅｒａｌ  ｓｐｅｃｉｆｉｃａｔｉｏｎで規定されているＩＥＥＥ１３９４に係るフォーマットのモード変更コマンド（ＣｏｎｎｅｃｔＡＶコマンド：図４参照）に変換し、その変換後のモード変更コマンド（ＣｏｎｎｅｃｔＡＶコマンド）をＤＶＣＲ１０１に送信する（ステップＳ３０５）。
【００１９】
一方、使用されるデジタルインターフェースがＩＥＥＥ１３９４インターフェースでなければ、ローカルＰＣ１０３は、ローカルＰＣ１０３とＤＶＣＲ１０１との通信に使用されるデジタルインターフェースがＵＳＢインターフェースであるか否かを判別する（ステップＳ３０４）。その結果、使用されるデジタルインターフェースがＵＳＢインターフェースであれば、ローカルＰＣ１０３は、入力又は受信に係るモード切替コマンドを、Ｕｎｉｖｅｒｓａｌ  Ｓｅｒｉａｌ  Ｂｕｓ  Ｄｅｖｉｃｅ  Ｃｌａｓｓ  Ｄｅｆｉｎｉｔｉｏｎ  Ｆｏｒ  Ｖｉｄｅｏ  Ｄｅｖｉｃｅｓで規定されているＵＳＢに係るフォーマットのモード変更コマンド（Ｓｅｔ  Ｓｅｌｅｃｔｏｒ  Ｕｎｉｔ  Ｃｏｎｔｒｏｌコマンド：図５参照）に変換し、その変換後のモード変更コマンド（Ｓｅｔ  Ｓｅｌｅｃｔｏｒ  Ｕｎｉｔ  Ｃｏｎｔｒｏｌコマンド）をＤＶＣＲ１０１に送信する（ステップＳ３０６）。
【００２０】
なお、ローカルＰＣ１０３とＤＶＣＲ１０１とのデジタルインターフェースがＩＥＥＥ１３９４インターフェース又はＵＢＳインターフェースであるか否かの判別処理は、これらインターフェースに印加されるバイアス電圧の有無を検出することにより行うことができる。
【００２１】
モードレスモードが設定されているＤＶＣＲ１０１の制御部２０２は、現在設定されている通信モードを、通信部２０４にて受信したＣｏｎｎｅｃｔＡＶコマンド、又はＳｅｔ  Ｓｅｌｅｃｔｏｒ  Ｕｎｉｔ  Ｃｏｎｔｒｏｌコマンドで指示されている通信モード（カメラモード、又はＶＴＲモード）に切り替える（ステップＳ３０７）。そして、ＤＶＣＲ１０１の制御部２０２は、ローカルＰＣ１０３との通信に使用するデジタルインターフェースがシリアルバス１０２に印加しているバイアス電圧を一旦落した後に再度印加することにより、ローカルＰＣ１０３との間の接続をリセットして（ステップＳ３０８）、終了する。
【００２２】
このように、ＤＶＣＲ１０１にモード切替用の専用モードを設けることにより、ローカルＰＣ１０３又はリモートＰＣ１０５からのコマンドに基づいて、ＤＶＣＲ１０１の通信モードを動的に切替えることが可能となり、利便性が向上する。この場合、ローカルＰＣ１０３上のアプリケーションにより、入力又は受信に係るモード変更コマンドをＤＶＣＲ１０１とのデジタルインターフェースに準拠したコマンドに変換してＤＶＣＲ１０１に転送することにより、ＤＶＣＲ１０１が複数種のデジタルインターフェースを有する場合であっても、このＤＶＣＲ１０１の通信モードをローカルＰＣ１０３又はリモートＰＣ１０５からの制御により切り替えることが可能となり、この点でも利便性が向上する。
【００２３】
なお、本発明は、上記の実施形態に限定されることなく、例えば、デジタルインターフェースがＥｔｈｅｒｎｅｔ（登録商標）、ＩＥＥＥ８０２．１１ａ、ＩＥＥＥ８０２．１１ｂ、ＩＥＥＥ８０２．１１ｇ等、ＩＥＥＥ１３９４、ＵＳＢ以外のものである場合にも本発明を適用することが可能である。
【００２４】
また、ＤＶＣＲ以外の撮像装置をデジタルインターフェースを介して制御装置から制御する場合にも、本発明を適用することが可能である。さらに、通信モードの切り替え制御だけでなく、撮像装置の各種の動作をデジタルインターフェースを介して制御装置から制御する場合にも、本発明を適用することが可能である。
【００２５】
また、本発明の目的は、上記実施形態の機能を実現するソフトウェアのプログラムコードを記録した記憶媒体（または記録媒体）を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００２６】
この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００２７】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。本発明を上記記憶媒体に適用する場合、その記憶媒体には、先に説明した（図３に示す）フローチャートに対応するプログラムコードが格納されることになる。
【図面の簡単な説明】
【００２８】
【図１】本発明を適用した通信システムのシステム構成図である。
【図２】ＤＶＣＲの概略構成を示すブロック図である。
【図３】制御装置からのコマンドに基づく通信モード切替処理を示すフローチャートである。
【図４】ＩＥＥＥ１３９４に対応するモード変更コマンド（ＣｏｎｎｅｃｔＡＶコマンド）のフォーマットを示す図である。
【図５】ＵＳＢに対応するモード変更コマンド（Ｓｅｔ  Ｓｅｌｅｃｔｏｒ  Ｕｎｉｔ  Ｃｏｎｔｒｏｌコマンド）のフォーマットを示す図である。
【符号の説明】
【００２９】
１０１…ＤＶＣＲ（デジタルビデオカメラ）
１０２…シリアルバス
１０３…ホストＰＣ
１０４…ネットワーク
１０５…ＰＣ
２０１…撮像部
２０２…制御部
２０３…表示部
２０４…通信部
２０５…記録部
【図１】
2005176249.tif 000003
【図２】
2005176249.tif 000004
【図３】
2005176249.tif 000005
【図４】
2005176249.tif 000006
【図５】
2005176249.tif 000007